【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
画像データに含まれるオブジェクトを変形する画像処理装置であって、
前記画像データから前記オブジェクトのエッジ部を特定する特定手段と、
前記特定されたエッジ部に隣接する前記オブジェクトの外側部分の色を変換する処理手段と、
を有し、
前記処理手段は、当該特定されたエッジ部の色の複数の有彩色成分が等量でない場合に、前記外側部分の色を前記複数の有彩色成分を含む色に変換し、当該特定されたエッジ部の色の前記複数の有彩色成分が等量である場合に、前記外側部分の色を無彩色成分のみを含む色に変換することを特徴とする画像処理装置。
【請求項２】
前記特定手段は、前記特定において前記外側部分も特定し、
前記処理手段は、前記特定されたエッジ部の色の複数の有彩色成分が等量でない場合に、前記特定された外側部分の色を前記複数の有彩色成分を含む色に変換し、前記特定されたエッジ部の色の前記複数の有彩色成分が等量である場合に、前記特定された外側部分の色を無彩色成分のみを含む色に変換することを特徴とする請求項１に記載の画像処理装置。
【請求項３】
前記処理手段は、
前記特定された外側部分の色を、前記特定されたエッジ部の色で変換し、
前記特定されたエッジ部の色の前記複数の有彩色成分を含む色に変換された、前記特定された外側部分に対して、当該外側部分の色の前記複数の有彩色成分のうちの最も少ない量の色成分の量だけ、前記複数の有彩色成分から減らし、かつ、前記無彩色成分を増やすことで、前記特定されたエッジ部の色の前記複数の有彩色成分が等量である場合に前記外側部分の色を前記無彩色成分のみを含む色に変換することを特徴とする請求項２に記載の画像処理装置。
【請求項４】
前記処理手段は、前記画像データに対してスクリーン処理を行い、
前記外側部分に対して行われるスクリーン処理の線数は、前記特定されたエッジ部に隣接する前記オブジェクトの内側部分に対して行われる前記スクリーン処理の線数よりも大きいことを特徴とする請求項１乃至３の何れか1項に記載の画像処理装置。
【請求項５】
画像データに含まれるオブジェクトを変形する画像処理装置であって、
画像データに含まれるオブジェクトのエッジ部から所定距離だけ当該オブジェクトから離れた位置を決定する決定手段と、
前記決定された位置に基づいて、前記決定された位置が前記オブジェクトの新たなエッジ部となるように前記オブジェクトを変形する変形手段と、
前記決定された位置に基づいて、前記変形が行われた後の前記オブジェクトの前記新たなエッジ部に所定の画像処理を行う処理手段と
を有することを特徴とする画像処理装置。
【請求項６】
前記決定手段は、前記変形が行なわる前に、前記離れた位置の他に、前記変形が行なわれる前の前記オブジェクトの元々のエッジ部の位置も決定し、
前記処理手段は、前記決定された元々のエッジ部の位置に基づいて、前記変形が行なわれる前の前記オブジェクトの元々のエッジ部に前記所定の画像処理とは異なる別の所定の画像処理を行なうことを特徴とする請求項５に記載の画像処理装置。
【請求項７】
前記決定手段は、前記オブジェクトに対する上下左右の方向の変形が行なわれた後の前記新たなエッジ部の位置を決定することを特徴とする請求項５または６に記載の画像処理装置。
【請求項８】
前記決定手段は、前記オブジェクトに対する上下左右のうちの一部の方向のみの変形が行なわれた後の前記新たなエッジ部の位置を決定することを特徴とする請求項５または６に記載の画像処理装置。
【請求項９】
前記決定手段は、前記オブジェクトに対する前記一部の方向以外の方向に対応するエッジ部の位置を、前記変形が行なわれた後のオブジェクトの前記新たなエッジ部の位置として用いることを特徴とする請求項８に記載の画像処理装置。
【請求項１０】
前記決定手段は、前記オブジェクトに対する複数画素分の変形が行なわれた後のエッジ部の位置を決定することを特徴とする請求項５乃至９のいずれか一項に記載の画像処理装置。
【請求項１１】
前記決定手段は、前記画像データの画素ごとに、前記オブジェクトの内側のエッジか、前記オブジェクトの外側のエッジか、またはそれ以外かを判定し、判定した結果を用いて前記位置を決定することを特徴とする請求項５乃至１０のいずれか一項に記載の画像処理装置。
【請求項１２】
前記決定手段は、オブジェクト同士が近接する場合、前記変形が行われた後のオブジェクトの前記新たなエッジ部の位置として、前記変形が行なわれる前のオブジェクトのエッジ部の位置を決定することを特徴とする請求項５乃至１１のいずれか一項に記載の画像処理装置。
【請求項１３】
前記変形手段は、前記変形が行われた後のオブジェクトの前記新たなエッジ部の位置の画素の画素値を、該画素に近接する画素の画素値で上書きすることで前記変形を行なうことを特徴とする請求項５乃至１２のいずれか一項に記載の画像処理装置。
【請求項１４】
前記変形手段は、前記変形が行われた後のオブジェクトの前記新たなエッジ部の位置の画素の画素値を、該画素に近接する前記オブジェクト内の画素の画素値で上書きすることで前記変形を行なうことを特徴とする請求項１３に記載の画像処理装置。
【請求項１５】
前記変形手段は、前記変形が行なわる前のオブジェクトの元々のエッジ部の位置の画素の画素値を、該画素に近接する前記オブジェクト外の画素の画素値で上書きすることで前記変形を行なうことを特徴とする請求項１３に記載の画像処理装置。
【請求項１６】
画像データに含まれるオブジェクトを変形する画像処理方法であって、
前記画像データから前記オブジェクトのエッジ部を特定する特定工程と、
前記特定されたエッジ部に隣接する前記オブジェクトの外側部分の色を変換する処理工程と、
を有し、
前記処理工程は、当該特定されたエッジ部の色の複数の有彩色成分が等量でない場合に、前記外側部分の色を前記複数の有彩色成分を含む色に変換し、当該特定されたエッジ部の色の前記複数の有彩色成分が等量である場合に、前記外側部分の色を無彩色成分のみを含む色に変換することを特徴とする画像処理方法。
【請求項１７】
画像データに含まれるオブジェクトを変形する画像処理方法であって、
画像データに含まれるオブジェクトのエッジ部から所定距離だけ当該オブジェクトから離れた位置を決定する決定ステップと、
前記決定された位置に基づいて、前記決定された位置が前記オブジェクトの新たなエッジ部となるように前記オブジェクトを変形する変形ステップと、
前記決定された位置に基づいて、前記変形が行われた後の前記オブジェクトの前記新たなエッジ部に所定の画像処理を行う処理ステップと
を有することを特徴とする画像処理方法。
【請求項１８】
コンピュータを、請求項１乃至１５のいずれか一項に記載の画像処理装置として機能させるためのプログラム。
【手続補正２】
【補正対象書類名】明細書
【補正対象項目名】０００５
【補正方法】変更
【補正の内容】
【０００５】
本発明にかかる画像処理装置は、画像データに含まれるオブジェクトを変形する画像処理装置であって、前記画像データから前記オブジェクトのエッジ部を特定する特定手段と、前記特定されたエッジ部に隣接する前記オブジェクトの外側部分の色を変換する処理手段と、を有し、前記処理手段は、当該特定されたエッジ部の色の複数の有彩色成分が等量でない場合に、前記外側部分の色を前記複数の有彩色成分を含む色に変換し、当該特定されたエッジ部の色の前記複数の有彩色成分が等量である場合に、前記外側部分の色を無彩色成分のみを含む色に変換することを特徴とする。